(57)【要約】      （修正有）【課題】１つのスタンドの操作で容易に設置角度を変更することができる電子機器の、多段階の角度設定構造を提供する。【解決手段】電子機器を構成する筐体１と、筐体１を角度を持って支持するスタンド２と、筐体１とスタンド２を回動自在に係合させる二つの係合パーツ４と、スタンド２の端部を係合パーツ４に押し付けてスタンド２を係合パーツ４に保持するバネ部材３と、から成り、筐体１は、係合パーツ４を装着するための嵌合構造を有し、係合パーツ４は、スタンド２の端部に形成されているストッパー２１と係合してスタンド２の回動を固定する１以上の凹部１１を有する。【選択図】図１
0003183825.tif 000002
【実用新案登録請求の範囲】
【請求項１】
電子機器を構成する筐体と、前記筐体を角度を持って支持するスタンドと、前記筐体と前記スタンドを回動自在に係合させる二つの係合パーツと、前記スタンドの端部を前記係合パーツに押し付けて前記スタンドを前記係合パーツに保持するバネと、から成る、前記電子機器の設置角度を可変にする構造であって、
前記筐体は、前記係合パーツを装着するための嵌合構造を有し、前記係合パーツは、前記スタンドの端部に形成されているストッパーと係合して前記スタンドの回動を固定する１以上の凹部を有することを特徴とする電子機器の多段階角度設定構造。
【考案の詳細な説明】
【技術分野】
【０００１】
本考案は、電子機器の設置角度を可変にする角度設定構造に関する。
【背景技術】
【０００２】
従来の電子機器の設置角度設定構造として、筐体底部とスタンドの片側が回転して係合し、筐体底部と係合しているスタンドが筐体を支持することにより、電子機器の設置角度を設定するものがある（例えば、特許文献１）。
【０００３】
上述した特許文献１に記載の角度設定構造においては、スタンドに２つの部材を使用した角度設定構造のため、使用者がスタンドの角度変更時に複数の部材を操作する必要があり、従来の角度設定構造では使用者が容易に角度変更できないことが懸念される。
【先行技術文献】
【特許文献】
【０００４】
【特許文献１】特開２００４−２６６０８７号公報
【考案の概要】
【考案が解決しようとする課題】
【０００５】
そこで、本考案は上記の課題を解決するために、１つのスタンドを操作することで容易に設置角度を変更することができ、かつ、多段階の角度設定構造を提供することにある。
【課題を解決するための手段】
【０００６】
上記の課題を解決するために、本考案は、電子機器を構成する筐体と、前記筐体を角度を持って支持するスタンドと、前記筐体と前記スタンドを回動自在に係合させる二つの係合パーツと、前記スタンドの端部を前記係合パーツに押し付けて前記スタンドを前記係合パーツに保持するバネと、から成る、前記電子機器の設置角度を可変にする構造であって、前記筐体は、前記係合パーツを装着するための嵌合構造を有し、前記係合パーツは、前記スタンドの端部に形成されているストッパーと係合して前記スタンドの回動を固定する１以上の凹部を有することを特徴とする。
【考案の効果】
【０００７】
本考案によれば、１つのスタンドを操作することで設置角度を変更することができ、かつ、多段階の角度設定構造を提供できる。
【図面の簡単な説明】
【０００８】
【図１】（ａ）本考案の実施の一形態に係る電話機の多段階角度設定構造の構成を表す斜視図            （ｂ）多段階角度設定構造部の拡大図
【図２】（ａ）本考案の実施の一形態に係る電話機の斜視図（ｂ）ストッパー付係合部を挿入する挿入部の拡大図
【図３】スタンド及びバネ部材の斜視図
【考案を実施するための形態】
【０００９】
以下に、電子機器として電話機を例に、図面を参照しながら本考案の実施の一形態について説明する。ただし、以下の説明は、あくまでも本考案の例示にすぎず、以下の記載によって考案の技術的範囲が限定されるものではない。
【００１０】
図１は、（ａ）に本考案の実施の一形態に係る筐体１の多段階角度設定構造の構成を表す斜視図を示し、（ｂ）に多段階角度設定構造部を拡大した図を示す。図１（ａ）は、電話機を構成する筐体１と、角度を持って筐体１を支持するスタンド２から構成されている。
【００１１】
図１（ｂ）の筐体１とスタンド２の係合する多段階角度設定構造部は、筐体１が有する係合パーツ４（後述）が嵌合する嵌合構造と、筐体１と嵌合する係合パーツ４と、スタンド２から構成されており、スタンド２は係合パーツ４と回動自在に係合する。係合パーツ４については図２において後述する。
【００１２】
さらにスタンド２は、スタンド２に設けられたストッパー付係合部２０と、ストッパー付係合部２０の端部に設けられたストッパー２１と、ストッパー付係合部２０と係合するバネ部材３から構成されている。
【００１３】
図２は（ａ）に筐体１の斜視図を示し、（ｂ）にストッパー付係合部２０を挿入する挿入部１０の拡大図を示す。図２（ａ）より、筐体１と嵌合する係合パーツ４には、挿入部１０が設けられており、スタンド２に設けられたストッパー付係合部２０を挿入するものである。図２（ｂ）より、係合パーツ４は、ストッパー付係合部２０を挿入する挿入部１０と、ストッパー２１が係合する凹部１１によって構成されている。これにより、スタンド２のストッパー付係合部２０が、筐体１に嵌合する係合パーツ４と係合すると、ストッパー２１と凹部１１が係合されることで、スタンド２は角度を持って筐体１を支持する。
【００１４】
図３はスタンド２及びバネ部材３の斜視図を示す。ストッパー付係合部２０には、２本のストッパー２１が設けられており、ストッパー付係合部２０は係合パーツ４の挿入部１０と回転自在に係合する。また、ストッパー付係合部２０の反対側にバネ部材３が係合されており、バネ部材３の伸長する方向に働く反力によって、スタンド２の端部を係合パーツ４に押し付け、スタンド２を係合パーツ４に保持する。
【００１５】
ここで、多段階角度設定構造について再び図１を用いて説明する。図１（ｂ）に示すスタンド２のストッパー付係合部２０に設けられた２つのストッパー２１を、バネ部材３の反力によって係合パーツ４の凹部１１に向かって押動し係合することにより、スタンド２の回動を固定している。この状態では、ストッパー２１と凹部１１の係合が自然に解除されることは無く、スタンド２の角度は保持される。
【００１６】
次に、角度を調整する場合について説明する。図１（ａ）に示すスタンド２の全体を、方向Ｃに向かって操作者が押動し、バネ部材３が縮む方向に力が加わることにより、スタンド２のストッパー付係合部２０に設けられたストッパー２１と、係合パーツ４の凹部１１の係合を解除することで、スタンド２を回動させることが出来るようになる。次に、スタンド２を方向ＡまたはＢのいずれかに回動させ、任意の角度に設定した後に、操作者の押動を止める。すると、再びバネ部材３の伸長する方向に働く反力によってストッパー２１と凹部１１が係合され、スタンド２の角度が保持される。尚、スタンド２は回転方向ＡまたはＢのいずれにも回動させることが可能である。
【００１７】
このように、本考案によれば従来の角度設定構造よりも小さい部品で多段階の角度設定を提供でき、かつ角度設定方法が簡単なため使用者も容易に角度設定を行うことが可能である。また、本考案を実施することで、従来の角度設定構造よりも部品が小型化されることにより、製造及び管理コストの低減を可能とし、更に、従来の角度設定構造では、設置角度を変更しても筐体が占める設置面積は一定であったが、本考案によれば、設置角度を変更することで設置面積を変えることができ、従来よりも狭い場所に筐体を配置することが可能となる。尚、本考案を実施するに当たり、趣旨を逸脱しない範囲での変更が可能である。本考案において、実施例としてスタンドの挿入部に設けた２つのストッパーは、固定できるならばストッパーの角度に制限はなく、またストッパーの数にも制限はない。これにより、電子機器側の凹部も前記ストッパーに合わせ自由に設置でき制限はない。尚、実施例に示したストッパー、凹部は相互に入れ替えたとしても同様の効果が得られる。
【００１８】
なお、実施の一形態においては、電子機器として電話機を例に説明したが、本考案の構造は、電子機器一般に適用可能である。
【符号の説明】
【００１９】
１    電話機
１０  ストッパー付係合部を挿入する挿入部
１１  ストッパーと係合する凹部
２    スタンド
２０  ストッパー付係合部
２１  ストッパー
３    バネ部材
４    係合パーツ
【図１】
0003183825.tif 000003
【図２】
0003183825.tif 000004
【図３】
0003183825.tif 000005